(57)【要約】 【課題】  工業的に簡易な方法で、セルロース繊維集合体表面にアルミニウム蒸着層を設けた皮膚被覆材を提供する。【解決手段】  この皮膚被覆材は、セルロース繊維集合体層１と、ポリエステルフィルム３の一方表面のみにアルミニウムが蒸着されてなる蒸着ポリエステルフィルム２とが積層されている。セルロース繊維集合体層１と蒸着ポリエステルフィルム２とは、蒸着ポリエステルフィルム２の他方表面がセルロース繊維集合体層１と当接するようにして積層されている。蒸着ポリエステルフィルム２には、ポリエステルフィルム３の融点以上に加熱された加熱針を刺すことによって、多数の孔５が穿たれている。そして、孔５の周縁部において、ポリエステルフィルム２の溶融固化により、蒸着ポリエステルフィルム２とセルロース繊維集合体層１とが固着している。【選択図】  図１
2010187950.tif 000002
【特許請求の範囲】
【請求項１】
セルロース繊維集合体層と、該セルロース繊維集合体層の少なくとも片面に、ポリエステルフィルムの一方表面のみにアルミニウムが蒸着されてなる蒸着ポリエステルフィルムの他方表面が当接するようにして積層されてなり、該蒸着ポリエステルフィルムには多数の孔が穿たれていると共に、該孔の周縁部において、ポリエステルフィルムの溶融固化により、該蒸着ポリエステルフィルムと該セルロース繊維集合体層とが固着していることを特徴とする皮膚被覆材。
【請求項２】
セルロース繊維集合体層と、該セルロース繊維集合体層の片面に、ポリエステルフィルムの一方表面のみにアルミニウムが蒸着されてなる蒸着ポリエステルフィルムの他方表面が当接するようにして積層されてなり、該蒸着ポリエステルフィルムには多数の孔が穿たれていると共に、該孔の周縁部において、ポリエステルフィルムの溶融固化により、該蒸着ポリエステルフィルムと該セルロース繊維集合体層とが固着しており、該セルロース繊維集合体層の他面には、水蒸気不透過性の金属箔、金属蒸着フィルム又は合成樹脂製フィルムが積層されていることを特徴とする皮膚被覆材。
【請求項３】
ポリエステルフィルムの一方表面のみにアルミニウムが蒸着されてなる蒸着ポリエステルフィルムを準備する工程と、
該蒸着ポリエステルフィルムの他方表面にセルロース繊維集合体層を積層して積層物を得る工程と、
該積層物の該蒸着ポリエステルフィルム側から、該ポリエステルフィルムの融点以上に加熱された加熱針を刺して、該ポリエステルフィルムを溶融させながら孔を穿つ工程とを具備することを特徴とする請求項１記載の皮膚被覆材の製造方法。
【請求項４】
傷当て材である請求項１又は２記載の皮膚被覆材。
【請求項５】
湿潤療法に用いる包材である請求項２記載の皮膚被覆材。
【請求項６】
眼帯である請求項１記載の皮膚被覆材。
【請求項７】
人体の保温材である請求項１又は２記載の皮膚被覆材。
【発明の詳細な説明】
【技術分野】
【０００１】
本発明は、傷当て材、眼帯、湿潤療法の包材又は人体の保温材として使用しうる皮膚被覆材及びその製造方法に関するものである。
【背景技術】
【０００２】
従来より、傷当て材として、脱脂綿や不織布等の繊維集合体が用いられている。かかる繊維集合体は、表面に多数の構成繊維が存在しているため、傷当て材として使用すると、表面の構成繊維が傷口に癒着しやすく、傷当て材を取り外す際に傷口を傷つけるということがあった。このため、繊維集合体の表面に金属蒸着層、たとえばアルミニウム蒸着層を設けることが提案されている。
【先行技術文献】
【特許文献】
【０００３】
【特許文献１】実開平３−１２６１１９号公報
【発明の概要】
【発明が解決しようとする課題】
【０００４】
繊維集合体表面にアルミニウム蒸着層を設けるには、真空にした密閉容器内に繊維集合体を置いた後に、アルミニウムを蒸発させ、繊維集合体表面に蒸発したアルミニウムを付着させるという方法が採用されている。しかしながら、傷当て材等に用いる繊維集合体は、その構成繊維がコットン等のセルロース繊維であるため、真空にした密閉容器内におくと、当該密閉容器内の真空が維持できず、アルミニウム蒸着できないということがあった。すなわち、セルロース繊維は、一般的に公定水分率が５％以上となっており、真空にした密閉容器内に置くと、セルロース繊維中の水分が蒸発し、当該密閉容器を真空に維持できないのである。したがって、セルロース繊維集合体表面に、アルミニウム等の金属蒸着層を設けることは工業的に困難であった。
【０００５】
したがって、本発明は、工業的に簡易な方法で、セルロース繊維集合体表面にアルミニウム蒸着層を設けることを課題とするものである。
【課題を解決するための手段】
【０００６】
上記課題を解決するため、本発明は、予めアルミニウムが蒸着されたポリエステルフィルムを用い、特定の手段を採用して、セルロース繊維集合体の少なくとも片面にアルミニウム蒸着層を設けたものである。すなわち、本発明は、セルロース繊維集合体層と、該セルロース繊維集合体層の少なくとも片面に、ポリエステルフィルムの一方表面のみにアルミニウムが蒸着されてなる蒸着ポリエステルフィルムの他方表面が当接するようにして積層されてなり、該蒸着ポリエステルフィルムには多数の孔が穿たれていると共に、該孔の周縁部において、ポリエステルフィルムの溶融固化により、該蒸着ポリエステルフィルムと該セルロース繊維集合体層とが固着していることを特徴とする皮膚被覆材及びその製造方法に関するものである。
【０００７】
本発明で用いるセルロース繊維集合体層１は、コットン（綿）やレーヨン繊維等のセルロース繊維を構成繊維とし、これが集積されてなるものである。たとえば、脱脂綿や綿不織布等が用いられる。セルロース繊維集合体層１は、水を吸収しやすいセルロース繊維で構成されており、傷口等から滲出する血液、膿、汗等の体液を吸収する役割を果たす。また、セルロース繊維集合体層１は、構成繊維であるセルロース繊維相互間に多数の空隙を持っているため、保温効果もある。セルロース繊維集合体層１の目付は、３０〜３００ｇ／ｍ2程度であるのが好ましい。目付が３０ｇ／ｍ2未満であると、体液の吸収量が低下する傾向となるし、また保温効果も低下する傾向となる。目付が３００ｇ／ｍ2を超えると、嵩張って傷当て材として取り扱いにくくなる。
【０００８】
セルロース繊維集合体層１の少なくとも片面には、蒸着ポリエステルフィルム２が積層されている。蒸着ポリエステルフィルム２は、ポリエステルフィルム３の一方表面のみにアルミニウムが蒸着されてなるものである。すなわち、ポリエステルフィルム３の一方表面のみにアルミニウム蒸着層４が設けられているものである。そして、蒸着ポリエステルフィルム２は、セルロース繊維集合体層１の片面又は両面に、蒸着ポリエステルフィルム２の他方表面（アルミニウム蒸着層４の設けられていない面）が当接するようにして、積層されているのである。セルロース繊維集合体層１に当接する面がアルミニウム蒸着層４であると、孔５の周縁部において、セルロース繊維集合体層１と蒸着ポリエステルフィルム２とが固着しにくくなるため、好ましくない。また、かかる固着が良好となるように、蒸着ポリエステルフィルム２は、ポリエステルフィルム３の一方表面のみにアルミニウム蒸着されているのであり、両面にアルミニウム蒸着されていないのである。なお、ポリエステルフィルム２を用いる理由は、高強度であり、形態安定性に優れているからである。
【０００９】
蒸着ポリエステルフィルム２には、多数の孔５が穿たれている。この多数の孔５は、ポリエステルフィルム３の融点以上に加熱された加熱針を刺すことによって、穿たれる。かかる加熱針を刺すことによって、蒸着ポリエステルフィルム２には孔５が穿たれると共に、孔５の外周面と接するポリエステルフィルム３は溶融し、その後固化する。この結果、蒸着ポリエステルフィルム２の孔５の周縁部は、ポリエステルフィルム３の溶融固化によって、セルロース繊維集合体層１中のセルロース繊維と固着することになる。したがって、セルロース繊維集合体層１と蒸着ポリエステルフィルム２とは、孔５の周縁部で固着し、一体化する。そして、孔５の周縁部以外では、セルロース繊維集合体層１と蒸着ポリエステルフィルム２とは、単に積層されているだけとなる。
【００１０】
多数の孔５を穿って、本発明に係る皮膚被覆材を得る方法は、以下のとおりである。まず、ポリエステルフィルム３の一方表面のみにアルミニウムが蒸着されてなる蒸着ポリエステルフィルム２を準備する。そして、この蒸着ポリエステルフィルム２の他方表面にセルロース繊維集合体層１を積層して積層物を得る。この積層物の蒸着ポリエステルフィルム２側から、ポリエステルフィルム３の融点以上に加熱された加熱針を刺して、ポリエステルフィルム３を溶融させながら孔を穿つことによって、本発明に係る皮膚被覆材を得ることができる。
【００１１】
孔５の大きさは、その径が０．１〜３．０ｍｍ程度である。孔５の径が０．１ｍｍ未満であると、この孔５を通して体液がセルロース繊維集合体層１に吸収されにくくなる傾向が生じる。孔５の径が３．０ｍｍを超えると、セルロース繊維集合体層１のセルロース繊維と傷口等が直接接触しやすくなり、癒着の原因となる恐れがある。また、孔５の数は、５〜１０，０００個／１００ｃｍ2程度である。孔５の数が５個／１００ｃｍ2未満であると、孔５の密度が低すぎて、十分に体液を吸収し得ない傾向が生じる。孔５の数を１０，０００個／１００ｃｍ2超とするのは、製造上、困難となる。なお、孔５は、どのような配列で設けられていてもよく、たとえば、格子模様や菱形模様のような配列で設けられていてもよい。
【００１２】
本発明に係る皮膚被覆材は、図１に示したように、セルロース繊維集合体層１の片面のみに蒸着ポリエステルフィルム２が積層一体化されていてもよい。また、図２に示したように、セルロース繊維集合体層１の両面に蒸着ポリエステルフィルム２が積層一体化されていてもよい。
【００１３】
さらに、本発明に係る皮膚被覆材は、図３〜図５に示すように、セルロース繊維集合体層１の片面に蒸着ポリエステルフィルム２が積層一体化されており、セルロース繊維集合体層１の他面には、水蒸気不透過性の金属箔６、金属蒸着フィルム７又は合成樹脂製フィルム８が積層されていてもよい。かかる皮膚被覆材は、主として湿潤療法の際に用いる包材として適している。すなわち、かかる皮膚被覆材を用いて傷口等を包むと、セルロース繊維集合体層１の他面に積層されている水蒸気不透過性の金属箔６等によって、傷口等が閉鎖され湿潤状態が維持され、これによって傷口等の治癒が図られるのである。
【００１４】
水蒸気不透過性の金属箔６としては、どのような種類のものであっても差し支えないが、一般的にはアルミニウム箔が軽量で安価であるため、好ましい。水蒸気不透過性の金属蒸着フィルム７としては、合成樹脂製フィルムに金属を蒸着したものであれば、どのようなものでも差し支えない。本発明では、セルロース繊維集合体層１の片面にポリエステルフィルムにアルミニウムを蒸着した蒸着ポリエステルフィルムを用いているので、これと同一のものを採用して、セルロース繊維集合体層１の他面に積層するのが都合がよい。また、水蒸気不透過性の合成樹脂製フィルムとしては、ポリエステルフィルム、ポリエチレンフィルム又はポリ塩化ビニリデンフィルム等を用いることができる。
【００１５】
本発明に係る皮膚被覆材は、具体的には以下の用途に用いられる。すなわち、創傷（傷口）を保護し、体液を吸収するための傷当て材として用いられる。また、眼球や瞼を保護するための眼帯としても用いられる。傷当て材や眼帯として用いられる場合、蒸着ポリエステルフィルム２側が、創傷や瞼等に当接するようにして行う。さらに、セルロース繊維集合体層１の他面に水蒸気不透過性の金属箔６等を積層したものは、湿潤療法において、創傷（傷口）や火傷（熱傷）を閉鎖するための包材としても用い得る。かかる包材として用いる場合、蒸着ポリエステルフィルム２側が人体側となり、水蒸気不透過性の金属箔６等は外側となる。以上のような使用方法により、創傷等から滲出する体液は、蒸着ポリエステルフィルム２に設けられた孔５を通って、セルロース繊維集合体層１に吸収され、体液が外部に漏出するのを防止しうるのである。
【００１６】
また、本発明に係る皮膚被覆材は、火傷や交通事故による重傷患者を救急車等で搬送するとき、患者の体温低下を防止するための人体の被覆材としても用いることができる。特に、セルロース繊維集合体層１の他面に水蒸気不透過性の金属箔５等を積層した皮膚被覆材は、かかる用途に好適である。人体の被覆材として用いる場合、セルロース繊維集合体層１が保温材として機能する。なぜなら、セルロース繊維集合体層１は、セルロース繊維相互間で形成される空隙を保有した状態となっているため、この空隙の存在が保温効果を発揮するからである。なお、人体の被覆材として用いる場合、特にいずれの面を人体側にしても差し支えないが、一般的には、蒸着ポリエステルフィルム２側が人体側となるようにして用いるのが好ましい。
【発明の効果】
【００１７】
本発明に係る皮膚被覆材は、セルロース繊維集合体層の少なくとも片面に、孔が穿たれた蒸着ポリエステルフィルムが積層されてなるものである。そして、孔の周縁部において、ポリエステルフィルムの溶融固化により、蒸着ポリエステルフィルムとセルロース繊維集合体層とが固着し、一体化されているものである。すなわち、孔の周縁部以外の箇所では、蒸着ポリエステルフィルムとセルロース繊維集合体層とは単に積層されているだけで、固着されていないのである。したがって、本発明に係る皮膚被覆材は、セルロース繊維集合体層と蒸着ポリエステルフィルムとが、孔の周縁部で部分的に固着して一体化しているため、全体として柔軟性の低下が少なく、人体に沿って適用しやすい。
【００１８】
また、本発明に係る皮膚被覆材は、セルロース繊維集合体層と蒸着ポリエステルフィルムとを積層し、ポリエステルフィルムの融点以上に加熱された加熱針を刺すという単純な工程で容易に得ることができる。したがって、工業的に簡易に得ることができるという格別顕著な効果を奏する。
【図面の簡単な説明】
【００１９】
【図１】本発明の一例に係る皮膚被覆材の概略横断面図である。
【図２】本発明の他の例に係る皮膚被覆材の概略横断面図である。
【図３】本発明の他の例に係る皮膚被覆材の概略横断面図である。
【図４】本発明の他の例に係る皮膚被覆材の概略横断面図である。
【図５】本発明の他の例に係る皮膚被覆材の概略横断面図である。
【符号の説明】
【００２０】
１    セルロース繊維集合体層
２    蒸着ポリエステルフィルム
３    ポリエステルフィルム
４    アルミニウム蒸着層
５    孔
６    水蒸気不透過性の金属箔
７    水蒸気不透過性の金属蒸着フィルム
８    水蒸気不透過性の合成樹脂製フィルム
【図１】
2010187950.tif 000003
【図２】
2010187950.tif 000004
【図３】
2010187950.tif 000005
【図４】
2010187950.tif 000006
【図５】
2010187950.tif 000007